(57)【要約】【課題】携帯性を維持したまま、大画面表示を可能にする携帯電子機器を提供する。【解決手段】第１の筐体１と第２の筐体２とからなり、前記第１の筐体１と前記第２の筐体２とは連結部を介して開閉自在に連接され、閉状態における前記第１の筐体の内面側に各種情報を表示する第１表示部１１と、前記第２の筐体の内面側に第２表示部２１とが設けられた携帯電子機器１０において、前記第１表示部１１と前記第２表示部２１とが、前記連結部を介して縦方向および横方向のいずれにも連接可能に構成されている。【選択図】図４
2008085705.tif 000002
【特許請求の範囲】
【請求項１】
第１の筐体と第２の筐体とからなり、前記第１の筐体と前記第２の筐体とは連結部を介して開閉自在に連接され、閉状態における前記第１の筐体の内面側に各種情報を表示する第１表示部と、前記第２の筐体の内面側に第２表示部とが設けられた携帯電子機器において、
前記第１表示部と前記第２表示部とが、前記連結部を介して縦方向および横方向のいずれにも連接可能に構成されていることを特徴とする携帯電子機器。
【請求項２】
前記第１表示部と前記第２表示部とが、互いの展開位置を検出して該二つの表示部で一つの画面を表示可能に構成されていることを特徴とする請求項１に記載の携帯電子機器。
【請求項３】
前記第１表示部および前記第２表示部のうち少なくとも一つにタッチパネル機能が備えられていることを特徴とする請求項１または２に記載の携帯電子機器。
【請求項４】
前記連結部は、前記第１の筐体および前記第２の筐体に設けられた回動可能な支持体と、該支持体に連結され、伸縮可能な連結棒とで構成されていることを特徴とする請求項１〜３のいずれかに記載の携帯電子機器。
【請求項５】
第１の筐体と第２の筐体とからなり、閉状態における前記第１の筐体の内面側に各種情報を表示する第１表示部と、前記第２の筐体の内面側に第２表示部とが設けられた携帯電子機器において、
前記第１の筐体と前記第２の筐体とは磁力を利用して開閉自在に連接され、
前記第１表示部と前記第２表示部とが、縦方向および横方向のいずれにも連接可能に構成されていることを特徴とする携帯電子機器。
【請求項６】
前記第１の筐体および前記第２の筐体のいずれにもバッテリが備えられていることを特徴とする請求項５に記載の携帯電子機器。
【請求項７】
前記第１の筐体と前記第２の筐体とは、無線により通信可能に構成されていることを特徴とする請求項５または６に記載の携帯電子機器。
【請求項８】
前記第１表示部に第１の透明スピーカの振動板が備えられ、
前記第２表示部に第２の透明スピーカの振動板が備えられていることを特徴とする請求項１〜７のいずれかに記載の携帯電子機器。
【発明の詳細な説明】
【技術分野】
【０００１】
本発明は、携帯電子機器に関するものである。
【背景技術】
【０００２】
従来から、ＴＶ電話や電子メールなどの多量の情報を表示可能な携帯電話装置において、表示部に第１表示部（前面表示部）および表示部の側面などにヒンジで連結された第２表示部（背面表示部）が設けられ、第２表示部が展開されると、両表示部が並列して配置され、２画面モードで動作可能に構成されたものが知られている（例えば、特許文献１参照）。
【特許文献１】特開２００５−２２３５０７号公報
【発明の開示】
【発明が解決しようとする課題】
【０００３】
ところで、上述の携帯電話装置は、２画面モードにした際に、第２表示部が装置本体から側部に突出した形状となり、携帯性が悪くなるとともに、表示部の大きさも操作部が配置されている関係上、限界がある。
【０００４】
そこで、本発明は、上述の事情に鑑みてなされたものであり、携帯性を維持したまま、大画面表示を可能にする携帯電子機器を提供するものである。
【課題を解決するための手段】
【０００５】
上記の課題を解決するために、請求項１に記載した発明は、第１の筐体と第２の筐体とからなり、前記第１の筐体と前記第２の筐体とは連結部を介して開閉自在に連接され、閉状態における前記第１の筐体の内面側に各種情報を表示する第１表示部と、前記第２の筐体の内面側に第２表示部とが設けられた携帯電子機器において、前記第１表示部と前記第２表示部とが、前記連結部を介して縦方向および横方向のいずれにも連接可能に構成されていることを特徴とする。
このように構成することで、用途に応じて第１表示部と第２表示部とで形成される表示画面の構成を変えることができる。
【０００６】
請求項２に記載した発明は、前記第１表示部と前記第２表示部とが、互いの展開位置を検出して該二つの表示部で一つの画面を表示可能に構成されていることを特徴とする。
このように構成することで、第１表示部と第２表示部との位置関係を認識して画像を表示することができる。
【０００７】
請求項３に記載した発明は、前記第１表示部および前記第２表示部のうち少なくとも一つにタッチパネル機能が備えられていることを特徴とする。
このように構成することで、ボタンからなる操作部を無くし、必要な場合のみ表示部にテンキーやキーボードを表示することができる。
【０００８】
請求項４に記載した発明は、前記連結部は、前記第１の筐体および前記第２の筐体に設けられた回動可能な支持体と、該支持体に連結され、伸縮可能な連結棒とで構成されていることを特徴とする。
このように構成することで、連結棒の内部に第１の筐体と第２の筐体との間で通信可能な通信線を配すことができる。
【０００９】
請求項５に記載した発明は、第１の筐体と第２の筐体とからなり、閉状態における前記第１の筐体の内面側に各種情報を表示する第１表示部と、前記第２の筐体の内面側に第２表示部とが設けられた携帯電子機器において、前記第１の筐体と前記第２の筐体とは磁力を利用して開閉自在に連接され、前記第１表示部と前記第２表示部とが、縦方向および横方向のいずれにも連接可能に構成されていることを特徴とする。
このように構成することで、第１の筐体と第２の筐体とを磁力により容易に縦方向および横方向に連接することができる。
【００１０】
請求項６に記載した発明は、前記第１の筐体および前記第２の筐体のいずれにもバッテリが備えられていることを特徴とする。
このように構成することで、第１の筐体および第２の筐体のいずれも単独で電源を確保することができる。
【００１１】
請求項７に記載した発明は、前記第１の筐体と前記第２の筐体とは、無線により通信可能に構成されていることを特徴とする。
このように構成することで、第１の筐体と第２の筐体との間をつなぐ通信線が必要なくなる。
【００１２】
前記第１表示部に第１の透明スピーカの振動板が備えられ、前記第２表示部に第２の透明スピーカの振動板が備えられていることを特徴とする。
このように構成することで、マイクロフォン部とスピーカ部とを各表示部内に収めることができる。
【発明の効果】
【００１３】
請求項１に記載した発明によれば、用途に応じて第１表示部と第２表示部とで形成される表示画面の構成を変えることができるため、必要な情報を適正な大画面形状で表示することができる効果がある。
【００１４】
請求項２に記載した発明によれば、第１表示部と第２表示部との位置関係を認識して画像を表示することができるため、第１表示部と第２表示部とで正確な大画面を表示することができる効果がある。
【００１５】
請求項３に記載した発明によれば、ボタンからなる操作部を無くし、必要な場合のみ表示部にテンキーやキーボードを表示することができるため、携帯電子機器の大きさは維持したまま、大画面表示を実現することができる効果がある。
【００１６】
請求項４に記載した発明によれば、連結棒の内部に第１の筐体と第２の筐体との間で通信可能な通信線を配すことができるため、第１の筐体と第２の筐体とを縦方向および横方向のいずれにも連接することができ、大画面表示を可能にすることができる効果がある。
【００１７】
請求項５に記載した発明によれば、第１の筐体と第２の筐体とを磁気力により容易に縦方向および横方向に連接することができるため、容易に大画面表示を可能にすることができる効果がある。
【００１８】
請求項６に記載した発明によれば、第１の筐体および第２の筐体のいずれも単独で電源を確保することができるため、第１の筐体と第２の筐体との間をつなぐ電源線が必要なくなり、大画面表示を長時間表示可能にすることができる効果がある。
【００１９】
請求項７に記載した発明によれば、第１の筐体と第２の筐体との間をつなぐ通信線が必要なくなるため、無線により各種情報を交換することができ、容易な構造で大画面表示を可能にすることができる効果がある。
【００２０】
請求項８に記載した発明によれば、マイクロフォン部とスピーカ部とを各表示部内に収めることができるため、表示部を更に大きく形成することができ、大画面表示を可能にすることができる効果がある。
【発明を実施するための最良の形態】
【００２１】
（第一実施形態）
次に、本発明の第一実施形態を図１〜図５に基づいて説明する。ここで説明する実施形態は、本発明を携帯電話機に適用した場合のものである。
図１、図２に示すように、携帯電話機（携帯電子機器）１０は、第１の筐体１と、この第１の筐体１の厚さ方向に重ね合わせ可能な第２の筐体２と、これら二つの筐体１，２を相互に連結する連結部３とを備えている。連結部３は、二つの筐体１，２の各外面１ａ，２ａに形成された略半球形状の凹部５，６に設けられた球面滑り軸受（ベアリング）７，８と、二つのベアリング７，８を連結する連結棒９とで構成されている。連結棒は伸縮可能でかつ折曲可能に構成されている。なお、連結部３は、二つの筐体１，２の各端部１ｂ，２ｂ（以下、基端部１ｂ，２ｂと呼ぶ。）側同士を連結するように配されている。
【００２２】
第１の筐体１の内面１ｃには、文字、記号、図形などの各種情報を表示する第１表示面１１ａを有する第１表示部１１及び通話用のマイクロフォン部１２が設けられている。第１表示部１１は、ＬＣＤ（Ｌｉｑｕｉｄ  Ｃｒｙｓｔａｌ  Ｄｉｓｐｌａｙ）、有機ＥＬ（Ｅｌｅｃｔｒｏ  Ｌｕｍｉｎｅｓｃｅｎｃｅ）ディスプレイ、無機ＥＬディスプレイなどにより構成されており、その表示面１１ａは、二つの筐体１，２を相互に重ね合わせた状態において第２の筐体２に対向する第１の筐体１の内面１ｃから外方に露出している。また、第１表示部１１は、タッチパネル機能を有しており、必要に応じて通話キー、終話キー、テンキー、キーボードなどの各種押圧可能な操作キーを表示可能に構成されている。マイクロフォン部１２は、基端部１ｂとは反対側に位置する第１の筐体１の先端部１ｄ側に配されており、第１の筐体１の内面１ｃから第１の筐体１の内部空間に貫通する開口部１ｅを介して外方に露出している。
【００２３】
また、第２の筐体２の内面２ｃには、文字、記号、図形などの各種情報を表示する第２表示面２１ａを有する第２表示部２１及び通話用のスピーカ部１３が設けられている。
第２表示部２１は、ＬＣＤ、有機ＥＬディスプレイ、無機ＥＬディスプレイなどにより構成されており、その表示面１２ａは、二つの筐体１，２を相互に重ね合わせた状態において第１の筐体１に対向する第２の筐体２の内面２ｃから外方に露出している。ここで、第２表示部２１と第１表示部１１とは同じ様式のディスプレイで構成されていることが好ましい。スピーカ部１３は、基端部２ｂとは反対側に位置する第２の筐体２の先端部２ｄ側に配されており、第２の筐体２の内面２ｃから第２の筐体２の内部空間に貫通する開口部２ｅを介して外方に露出している。
【００２４】
次に、第１の筐体１の側面１ｆには、押圧可能な複数の操作キー１５が設けられている。また、第１の筐体１の外面１ａの先端部１ｄ側には、バッテリ１７が収納された収納部が設けられており、収納部を覆うように着脱可能な電池蓋１９が設けられている。
【００２５】
次に、第２の筐体２の外面２ａ側には、文字、記号、図形などの各種情報を表示する表示面２３ａを有する第３表示部２３が設けられている。
第３表示部２３は、内面２ｃとは反対側に位置する第２の筐体２の外面２ａから外方に向けて、例えば白色光を発光するバックライトを備えた白黒ＬＣＤにより構成されている。すなわち、第３表示部２３の表示面２３ａは、二つの筐体１，２の開閉状態に関わらず、第２の筐体２の外面２ａから外方に向けて配置されている。
【００２６】
また、第１の筐体１と第２の筐体２とは、閉状態において図示しない磁石などを利用して閉状態を保持できるように構成されている。
【００２７】
図３に示すように、連結部３は、金属製のベアリング７，８と金属製の連結棒９とで構成されている。ベアリング７，８と連結棒９とは溶接にて接合されている。連結棒９は、平面視略長方形の部材９ａ〜９ｈの８つの部材で構成されており、部材９ａは部材９ｂにスライドして収容可能であり、部材９ｂは部材９ｃにスライドして収容可能である。同様に、部材９ｈは部材９ｇに収容可能であり、部材９ｇは部材９ｆに収容可能に構成されている。部材９ｃと部材９ｄとの間には、回動可能なヒンジ９ｉが設けられており、同様に部材９ｄと部材９ｅとの間には、ヒンジ９ｊが、部材９ｅと部材９ｆとの間には、ヒンジ９ｋが設けられている。
部材９ｄの長辺は第２の筐体２の厚みより若干長く形成されており、部材９ｅの長辺は第１の筐体１の厚みより若干長く形成されている。
【００２８】
また、各部材９ａ〜９ｈの内部には、図示しない貫通孔が形成されており、貫通孔には通信線が第１の筐体１と第２の筐体２とを連接するように配されており、その通信線が各ベアリング７，８に形成された図示しない孔に挿入され、ベアリング７，８の内部を通過した通信線はベアリング７，８に形成された別の孔から取り出され、その通信線が第１の筐体１と第２の筐体２の内部へと導かれ、第１の筐体１と第２の筐体２とは通信可能に構成されている。
【００２９】
更に、第１の筐体１と第２の筐体２とが、縦方向に連接しているか、横方向に連接しているかを手動または自動にて認識可能に構成されており、用途に応じて最適な画像表示ができるように構成されている。
【００３０】
次に、本実施形態の携帯電話機１０の作用について説明する。
携帯電話機１０は、未使用時には、第１の筐体１と第２の筐体２とを重ね合わせた状態（閉状態）にしておき、電話、メール、ＴＶ、インターネットなどを使用する際には、第１の筐体１と第２の筐体２とを連結部３を介して開状態にして使用する。
【００３１】
ここで、電話を使用する際の説明をする。
電話を使用する際には、第１の筐体１と第２の筐体２とが縦方向に連接するように開状態にする（図１参照）。このとき、連結部３は連結棒９の部材が隣接する部材に収容されることで長さが伸縮し、ヒンジ部が回動することで、各筐体１，２の動きに合わせて、各筐体１，２の外面１ａ，２ａに沿うように動かすことができる（図２参照）。このとき、第１の筐体１と第２の筐体２とが縦方向に連接された状態を保持できるように各筐体１，２の接触面に磁石などを配置したほうが好ましい。
次に、第１表示面１１ａまたは操作キー１５を押下することで、第１表示部１１に電話を使用する際に必要なテンキーなどが表示される。第１表示部１１はタッチパネル機能を有しているため、第１表示面１１ａを押下することで、従来からあるボタン式操作部と同様の機能を果たすことができる。
【００３２】
次に、インターネットを使用する際の説明をする。
インターネットを使用する際には、電話を使用する場合と同様に第１の筐体１と第２の筐体２とを縦方向に連接させて使用することもできるが、二つの表示部１１，１２が縦長の形状に構成されるため、文字を小さく表示するなどしないとインターネット画面を見ることができず、視認性はあまりよくない。そこで、本実施形態では、二つの表示部１１，１２を横方向に連接させて使用する。
【００３３】
図４に示すように、第１の筐体１と第２の筐体２とを横方向に連接させると、第１表示部１１と第２表示部２１とで構成される表示画面は、縦方向に連接させた場合よりも横長の形状になり、一般的に使用するパソコンの液晶ディスプレイの形状に近づけることができる。ここで、第１表示部１１と第２表示部２１とが横方向に連接された場合には、それを検知し、二つの表示部１１，１２で一つの大画面表示ができるように構成されている。このように構成し、第１表示部１１と第２表示部２１とを併せて一つの表示画面にすることで、インターネット画面をより見やすくすることができる。ここで、操作キー１５やタッチパネル機能を用いてインターネットのブラウジングをすることができる。インターネットをより使いやすくするためには、第１表示部１１だけでなく、第２表示部２１にもタッチパネル機能を備えたほうが好ましい。
【００３４】
図５に示すように、第１の筐体１と第２の筐体２とを横方向に連接させる場合は、連結部３は各ベアリング７，８を回動させることで第１の筐体１と第２の筐体２とが横方向に連接するように各筐体１，２を移動させ、連結棒９の長さと角度を調整して各筐体１，２の外面１ａ，２ａに沿うように連結棒９を配置させる。このとき、第１の筐体１と第２の筐体２とが横方向に連接された状態を保持できるように各筐体１，２の側面に図示しない磁石などを配置したほうが好ましい。
【００３５】
したがって、上述の実施形態によれば、連結部３を介して第１の筐体１と第２の筐体２とを縦方向にも横方向にも連接可能に構成したため、用途に応じて連接方向を使い分け、特に横方向に連接した場合には、インターネットやＴＶなどの大画面表示を可能にすることができる。
【００３６】
なお、上述の実施形態において、ベアリングと連結棒にて第１の筐体１と第２の筐体２とを連接する構成としたが、同様の機構を有するものであれば、上記実施形態の構造に拘る必要はない。
【００３７】
（第二実施形態）
次に、本発明の第二実施形態を図６〜図１１に基づいて説明する。ここで説明する実施形態は、第一実施形態と同様で本発明を携帯電話機に適用した場合のものである。また、第一実施形態と同じ構成のものは、同一部分に同一符号を付して詳細の説明を省略する。
図６に示すように、携帯電話機（携帯電子機器）２０は、第１の筐体１と、この第１の筐体１の厚さ方向に重ね合わせ可能な第２の筐体２とを備えている。二つの筐体１，２は、閉状態および開状態において図示しない磁石により連接可能に構成されている。
【００３８】
図６、図７に示すように、携帯電話機２０の使用時には縦方向または横方向に第１の筐体１と第２の筐体２とを連接して使用する。縦方向に使用する際には、第１の筐体１の基端部１ｂ側の基端側面１ｇに設けられた第１近距離通信部５３と、第２の筐体２の基端部２ｂ側の基端側面２ｇに設けられた第２近距離通信部５４とが対向するように配置され、第１の筐体１と第２の筐体２との間を通信可能に構成されている。ここで、各近距離通信部は、赤外線により通信可能に構成されている。
また、携帯電話機２０を横方向に連接して使用する際には、第１の筐体１の側面１ｆに設けられた第３近距離通信部５１と、第２の筐体２の側面２ｆに設けられた第４近距離通信部５２とが対向するように配置され、第１の筐体１と第２の筐体２との間を通信可能に構成されている。
【００３９】
そして、本実施形態においては、第１近距離通信部５３と第２近距離通信部５４との間で近距離通信が行われているか、第３近距離通信部５１と第４近距離通信部５２との間で近距離通信が行われているかを判別して、二つの表示部１１，１２がどのように連接されているかを認識できるように構成されている。したがって、各筐体１，２の連接状態に応じた大画面表示が可能になる。
【００４０】
図８に示すように、第１の筐体１の外面１ａの先端部１ｄ側には、バッテリ１７が収納された収納部が設けられており、収納部を覆うように着脱可能な電池蓋１９が設けられており、第２の筐体２の外面２ａの先端部２ｄ側にもバッテリ５７が収納された収納部が設けられており、収納部を覆うように着脱可能な電池蓋５９が設けられている。
【００４１】
図９、図１０には、第二実施形態の変形例を示す。図９、図１０に示すように、携帯電話機２５は第１の筐体１と第２の筐体２とで構成されている。第１の筐体１の内面１ｃには略全面に第１表示部１１が形成されており、第２の筐体２の内面２ｃには略全面に第２表示部２１が形成されている。また、第１表示部１１および第２表示部２１には、図示しない透明スピーカの振動板が設けられている。各表示部１１，１２の構成が異なる以外は上述の実施形態と同様であるため、詳細の説明を省略する。
【００４２】
図９のように縦方向に連接して使用するときは、第１の筐体１はキーボードなどが表示され各種操作ができるように構成されていると共に、振動板により面状マイクとして動作するように構成されている。また、図１０のように横方向に連接して使用するときは、第１表示部１１と第２表示部２１とで一体の表示部として動作するように構成されている。更に、テレビを視聴する際などにステレオ設定すると、透明スピーカの振動板により第１の筐体１は左側面状スピーカとして動作し、第２の筐体２は右側面状スピーカとして動作するように構成されている。
【００４３】
このように構成することで、携帯電話機２５自体の大きさを大きくすることなく、さらに大きな画面表示をすることができる。なお、この変形例において、第１の筐体１と第２の筐体２との連接方法を第一実施形態で用いた連結部３を用いたものにしてもよい。
【００４４】
次に、図１１は各筐体間に通信線などが構成されない場合のブロック図である。
図１１に示すように、第１の筐体１は、テレビ受信部１０１と、第１表示部１１と、無線通信部１０２と、第１画像メモリ１０３と、第１制御部１０４と、第１記憶部１０５と、第１音声出力部１０６と、音声入力部１０７と、第１端末状態検出部１０８と、第１近距離通信部５３（第３近距離通信部５１）と、操作部１０９と、バッテリ１７と、を備えている。
【００４５】
テレビ受信部１０１はテレビ放送を受信可能に構成されており、無線通信部１０２は音声電話、テレビ電話などの無線信号を処理可能に構成されている。第１画像メモリ１０３は、テレビ信号、テレビ電話信号を一時的に保存可能に構成されたフレームメモリである。第１制御部１０４は、第１の筐体１の各制御対象と通信可能に構成され、各制御対象を制御すると共に、第２の筐体２との連係を図るように構成されている。第１記憶部１０５は、第１の筐体１の各種動作に必要なプログラムや各種通信情報などを記憶可能に構成されている。
【００４６】
第１音声出力部１０６は、２画面表示（大画面表示）時の左側スピーカとして動作する。音声入力部１０７は、各筐体１，２が縦方向に連接されている場合に、送話用のマイク機能を司るように構成されている。第１端末状態検出部１０８は、各筐体１，２が縦方向に連接されているか、横方向に連接されているかを検出可能に構成されている。第１近距離通信部５３（第３近距離通信部５１）は、第１の筐体１と第２の筐体２との間で画像、音声、制御信号などの授受を行うように構成されている。操作部１０９は、携帯電話機の各種操作を行うように構成されている。バッテリ１７は、第１の筐体１に電源を供給する。
【００４７】
次に、第２の筐体２は、第２画像メモリ２０３と、第２表示部２１と、第２制御部２０４と、第２記憶部２０５と、第２音声出力部２０６と、第２端末状態検出部２０８と、第２近距離通信部５４（第４近距離通信部５２）と、第３表示部２３と、バッテリ５７と、を備えている。
【００４８】
第２画像メモリ２０３は、テレビ信号、テレビ電話信号を一時的に保存可能に構成されたフレームメモリである。第２制御部２０４は、第２の筐体２の各制御対象と通信可能に構成され、各制御対象を制御すると共に、第１の筐体１との連係を図るように構成されている。第２記憶部２０５は、第２の筐体２の各種動作に必要なプログラムや各種通信情報などを記憶可能に構成されている。
【００４９】
第２音声出力部２０６は、電話通話時のイヤースピーカおよび２画面表示（大画面表示）時の右側スピーカとして動作する。第２端末状態検出部２０８は、各筐体１，２が縦方向に連接されているか、横方向に連接されているかを検出可能に構成されている。第２近距離通信部５４（第４近距離通信部５２）は、第１の筐体１と第２の筐体２との間で画像、音声、制御信号などの授受を行うように構成されている。第３表示部２３は、サブ液晶として、時計や着信情報などを表示可能に構成されている。バッテリ５７は、第２の筐体２に電源を供給する。
【００５０】
本実施形態において、各筐体１，２の各近距離通信部５１（５３），５２（５４）を介して通信可能に構成されており、通信線を設けることなく通信をすることができ、各表示部１１，２１を一の大画面として表示することや、第１表示部１１で操作して電話やメールをすることなどができる。
第１表示部１１と第２表示部２１とで大画面表示する際には、各筐体１，２の各端末状態検出部１０８，２０８が連接方向を検出し、それに応じた画面表示がなされるように構成されるため、常に最適な大画面表示をすることができる。
【００５１】
したがって、上述の実施形態によれば、磁石により第１の筐体１と第２の筐体２とを縦方向にも横方向にも連接可能に構成したため、用途に応じて連接方向を使い分け、特に横方向に連接した場合には、インターネットやＴＶなどの大画面表示を可能にすることができる。また、第１の筐体１と第２の筐体２との間に通信線がなくなるため、使い勝手を向上することができる。
また、本実施形態において、第１の筐体１と第２の筐体２とにそれぞれバッテリを設けた。このように構成することで、第１の筐体１と第２の筐体２との間に電源線を配する必要がなくなり、通信線は近距離通信にすることで各筐体１，２間の配線を全て無くすことができる。
【００５２】
（第三実施形態）
次に、本発明の第三実施形態を図１２〜図１３に基づいて説明する。ここで説明する実施形態は、第一実施形態と同様で本発明を携帯電話機に適用した場合のものである。また、第一実施形態および第二実施形態と同じ構成のものは、同一部分に同一符号を付して詳細の説明を省略する。
図１２に示すように、携帯電話機（携帯電子機器）３０は、第１の筐体１と、この第１の筐体１の厚さ方向に重ね合わせ可能な第２の筐体２とを備えている。二つの筐体１，２は、閉状態において図示しない磁石により連接可能に構成されている。
【００５３】
携帯電話機３０の使用時には縦方向または横方向に第１の筐体１と第２の筐体２とを連接して使用する。本実施形態においては、第二実施形態と同様に図示しない近距離通信部を介して近距離通信可能に構成されている。また、第１の筐体１および第２の筐体２のそれぞれにバッテリが設けられている。
【００５４】
ここで、第１の筐体１の外面１ａにはスライド可能な連結金具６１，６２が設けられている。また、第１の筐体１の外面１ａおよび第２の筐体２の外面２ａには、連結金具６１，６２がスライドする部分に溝６３が形成されている。
第１の筐体１と第２の筐体２とを縦方向に連接して使用する際には、第１の筐体１側に収容されている連結金具６１を第２の筐体２側に向かって溝６３に沿ってスライドさせ、第１の筐体１と第２の筐体２とを係合する位置で固定する。連結金具６１を固定するために、図示しない係止部を設けることが好ましい。
【００５５】
同じく、第１の筐体１と第２の筐体２とを横方向に連接して使用する際には、第１の筐体１に収容されている連結金具６２を第２の筐体２側に向かって溝６３に沿ってスライドさせ、第１の筐体１と第２の筐体２とを係合する位置で固定する。連結金具６２を固定するために、図示しない係止部を設けることが好ましい。
【００５６】
図１３は図１２の変形例を示す。図１３に示すように、携帯電話機（携帯電子機器）４０は、第１の筐体１と、この第１の筐体１の厚さ方向に重ね合わせ可能な第２の筐体２とを備えている。二つの筐体１，２は、閉状態において図示しない磁石により連接可能に構成されている。
【００５７】
携帯電話機４０の使用時には縦方向または横方向に第１の筐体１と第２の筐体２とを連接して使用する。本実施形態においては、第二実施形態と同様に図示しない近距離通信部を介して近距離通信可能に構成されている。また、第１の筐体１および第２の筐体２のそれぞれにバッテリが設けられている。
【００５８】
ここで、第１の筐体１の外面１ａにはスライド可能な連結金具７１，７２が設けられている。また、第１の筐体１の外面１ａおよび第２の筐体２の外面２ａには、連結金具７１，７２がスライドする部分に溝７３が形成されている。
第１の筐体１と第２の筐体２とを縦方向に連接して使用する際には、第１の筐体１側に収容されている連結金具７１を第２の筐体２側に向かって溝７３に沿ってスライドさせ、第１の筐体１と第２の筐体２とを係合する位置で固定する。連結金具７１を固定するために、図示しない係止部を設けることが好ましい。
【００５９】
同じく、第１の筐体１と第２の筐体２とを横方向に連接して使用する際には、第１の筐体１に収容されている連結金具７２を第２の筐体２側に向かって溝７３に沿ってスライドさせ、第１の筐体１と第２の筐体２とを係合する位置で固定する。連結金具７２を固定するために、図示しない係止部を設けることが好ましい。
【００６０】
したがって、上述の実施形態によれば、連結金具を介して第１の筐体１と第２の筐体２とを縦方向にも横方向にも連接可能に構成したため、容易な構造で用途に応じて連接方向を使い分け、特に横方向に連接した場合には、インターネットやＴＶなどの大画面表示を可能にすることができる。また、近距離通信を可能に構成したため、第１の筐体１と第２の筐体２との間に通信線がなくなるため、使い勝手を向上することができる。
また、本実施形態において、第１の筐体１と第２の筐体２とにそれぞれバッテリを設けた。このように構成することで、第１の筐体１と第２の筐体２との間に電源線を配する必要がなくなり、通信線は近距離通信にすることで各筐体間の配線を全て無くすことができる。
【００６１】
尚、本発明は上述した実施形態に限られるものではなく、以下の態様を用いてもよい。
上記実施形態では携帯電話機の場合について説明したが、ＰＤＡなどの携帯電子機器に採用してもよい。
また、上記実施形態では閉状態において磁石などを利用して閉状態を保持できるように構成する説明をしたが、第１の筐体と第２の筐体との閉状態を保持可能な係止部を設けてもよい。
また、上記第一実施形態では連結棒が８つの部材で構成されている説明をしたが、必要な機能を満たせば部材の数は拘らない。
また、上記第一実施形態では、連結部の内部に通信線を配する説明をしたが、第二実施形態で説明した近距離通信部を設け、連結部の内部には配線を設けないようにしてもよい。
また、上記第一実施形態では、連結部を金属製で構成している場合の説明をしたが、機能を満たせば材質には拘らない。
また、上記第二、第三実施形態では、赤外線により各筐体間を通信可能に構成した場合の説明をしたが、赤外線以外の無線により通信できる方式（Ｂｌｕｅｔｏｏｔｈ（登録商標）など）を用いてもよい。
【図面の簡単な説明】
【００６２】
【図１】本発明の第一実施形態における携帯電話機の各筐体が縦方向に連接した場合の内面斜視図である。
【図２】本発明の第一実施形態における携帯電話機の各筐体が縦方向に連接した場合の外面斜視図である。
【図３】本発明の第一実施形態における連結部の斜視図である。
【図４】本発明の第一実施形態における携帯電話機の各筐体が横方向に連接した場合の内面斜視図である。
【図５】本発明の第一実施形態における携帯電話機の各筐体が横方向に連接した場合の外面斜視図である。
【図６】本発明の第二実施形態における携帯電話機の各筐体が縦方向に連接した場合の内面斜視図である。
【図７】本発明の第二実施形態における携帯電話機の各筐体が横方向に連接した場合の内面斜視図である。
【図８】本発明の第二実施形態における携帯電話機の各筐体が横方向に連接した場合の外面斜視図である。
【図９】本発明の第二実施形態における携帯電話機の変形例であり、各筐体が縦方向に連接した場合の内面斜視図である。
【図１０】本発明の第二実施形態における携帯電話機の変形例であり、各筐体が横方向に連接した場合の内面斜視図である。
【図１１】本発明の第二実施形態における携帯電話機のブロック図である。
【図１２】本発明の第三実施形態における携帯電話機の外面の概略斜視図であり、各筐体が（ａ）縦方向に連接した場合、（ｂ）横方向に連接した場合である。
【図１３】本発明の第三実施形態における携帯電話機の外面の概略斜視図の変形例であり、各筐体が（ａ）縦方向に連接した場合、（ｂ）横方向に連接した場合である。
【符号の説明】
【００６３】
１…第１の筐体  １ｃ…内面  ２…第２の筐体  ２ｃ…内面  ３…連結部  ７，８…ベアリング（支持体）  ９…連結棒  １１…第１表示部  ２１…第２表示部  １７，５７…バッテリ  １０，２０，２５，３０，４０…携帯電話機（携帯電子機器）
【図１】
2008085705.tif 000003
【図２】
2008085705.tif 000004
【図３】
2008085705.tif 000005
【図４】
2008085705.tif 000006
【図５】
2008085705.tif 000007
【図６】
2008085705.tif 000008
【図７】
2008085705.tif 000009
【図８】
2008085705.tif 000010
【図９】
2008085705.tif 000011
【図１０】
2008085705.tif 000012
【図１１】
2008085705.tif 000013
【図１２】
2008085705.tif 000014
【図１３】
2008085705.tif 000015